(57)【要約】【課題】特別の部品を必要とせずに内容物を絞り出し易くした替え用の包装袋を提供すること。【解決手段】互いにシーラント層を有する表裏二枚の本体フィルム（１１、１２）をシーラント層を内側にして対向させ、左右辺を側部シール（１３）し、下辺を底部シール（１４）してなる包装袋（１０）であって、一方の側部シール（１３）は、中央近傍は注ぎ口辺（１３ａ）として形成され、注ぎ口辺の左右端はＶ字状にえぐられて切り込み辺（１３ｂ）として形成され、さらにその外側は側部辺（１３ｃ）として形成され、注ぎ口辺（１３ａ）と二つの切り込み辺（１３ｂ）と二つの側部辺（１３ｃ）とはそれぞれ互いに連続して側部シール（１３）を形成している。【選択図】図１
2005298007.tif 000002
【特許請求の範囲】
【請求項１】
互いにシーラント層を有する表裏二枚の方形の本体フィルムをシーラント層を内側にして対向させ、左右辺を側部シールし、下辺を底部シールしてなる包装袋であって、
一方の側部シールは、中央近傍は注ぎ口辺として形成され、該注ぎ口辺の左右端はＶ字状にえぐられて切り込み辺として形成され、さらにその外側は側部辺として形成され、前記注ぎ口辺と二つの切り込み辺と二つの側部辺とはそれぞれ互いに連続して側部シールを形成していることを特徴とする、詰め替え用包装袋。
【請求項２】
前記注ぎ口辺は、左右の側部辺と同じ幅で形成されていることを特徴とする、請求項１記載の詰め替え用包装袋。
【請求項３】
前記注ぎ口辺は包装袋の略中央部分に形成されていることを特徴とする、請求項１又は２記載の詰め替え用包装袋。
【請求項４】
前記切り込み辺の注ぎ口辺寄り近傍に切り欠きが設けられていることを特徴とする、請求項１、２又は３記載の詰め替え用包装袋。
【請求項５】
前記包装袋を形成する本体フィルムの注ぎ口辺近傍には浮き上げ模様加工部が形成されていることを特徴とする、請求項１、２、３又は４記載の詰め替え用包装袋。
【請求項６】
前記包装袋の形態が自立袋であることを特徴とする、請求項１、２、３、４又は５記載の詰め替え用包装袋。
【発明の詳細な説明】
【技術分野】
【０００１】
本発明は、シャンプー、リンス、液体洗剤等を収納する包装袋に関するものであり、特には、絞り出しにくい高粘度のシャンプ−等の内容物に適した手で持ち易い形状の詰め替え用の包装袋に関する。
【背景技術】
【０００２】
従来、シャンプー、リンス、食器洗い用洗剤などの液体を、ポンプで適量排出して使用するポンプ式プラスチック成形容器が多用されている。そして、近年では、資源の節約からポンプ式プラスチック成形容器の内容物であるシャンプー等がなくなっても容器を廃棄することなく、詰め替え専用の包装袋に充填されているシャンプー等の内容物を空になったポンプ式のプラスチック成形容器に詰め替えて、該ポンプ式のプラスチック成形容器を何回も再使用することが行われている。
【０００３】
一方通常の詰め替え用の包装袋は、内容物の注ぎ口に、内容物を注ぎ易くするためのプラスチック製などの注ぎ出し口部品等が取り付けられている。しかしこの方法は、部品が増えるため、環境面やコスト面で好ましくないという問題がある。
【発明の開示】
【発明が解決しようとする課題】
【０００４】
本発明は、詰め替え用の包装袋に関する以上のような問題に鑑みてなされたもので、特別の部品を必要とせずに内容物を絞り出し易くした詰め替え用の包装袋を提供することを課題とする。
【課題を解決するための手段】
【０００５】
本発明の請求項１の発明は、互いにシーラント層を有する表裏二枚の方形の本体フィルムをシーラント層を内側にして対向させ、左右辺を側部シールし、下辺を底部シールしてなる包装袋であって、一方の側部シールは、中央近傍は注ぎ口辺として形成され、該注ぎ口辺の左右端はＶ字状にえぐられて切り込み辺として形成され、さらにその外側は側部辺として形成され、前記注ぎ口辺と二つの切り込み辺とはそれぞれ互いに連続して側シールを形成していることを特徴とする、詰め替え用包装袋である。
【０００６】
このように請求項１記載の発明によれば、一方の側部シールは、中央近傍は注ぎ口辺として形成され、該注ぎ口辺の左右端はＶ字状にえぐられて切り込み辺として形成され、さらにその外側は側部辺として形成され、前記注ぎ口辺と二つの切り込み辺とはそれぞれ互いに連続して側シールを形成しているので、注ぎ口辺を切り取って詰め替えるプラスチック容器などに挿入した後、左手で詰め替え容器の左上端近傍を持ち、また、右手で詰め替え容器の右上近傍を持ち、左右の親指を切り込み辺の下側近傍に置いて、親指を詰め替え容器の中央方向に押すようにしながら内容物を絞り出すと、注ぎ口が閉塞しづらくなり注ぎ易くなる。
【０００７】
また、請求項２の発明は、請求項１の発明において、前記注ぎ口辺は、左右の側部辺と同じ幅で形成されていることを特徴とする、詰め替え用包装袋である。
【０００８】
このように請求項２記載の発明によれば、注ぎ口辺は、左右の側部辺と同じ幅で形成されているので、注ぎ口辺は側部辺より狭幅になっておらず、注ぎ口をプラスチック製などの詰め替え容器の注ぎ口に挿入し易い。
【０００９】
また、請求項３の発明は、請求項１又は２の発明において、前記注ぎ口辺は包装袋の略中央部分に形成されていることを特徴とする、詰め替え用包装袋である。
【００１０】
このように請求項３記載の発明によれば、注ぎ口辺は包装袋の略中央部分に形成されているので、半分に折り畳むようにして使用することもでき、操作し易い。
【００１１】
また、請求項４の発明は、請求項１、２又は３の発明において、前記切り込み辺の注ぎ口辺近傍に切り欠きが設けられていることを特徴とする、詰め替え用包装袋である。
【００１２】
このように請求項４記載の発明によれば、切り込み辺の注ぎ口辺近傍に切り欠きが設けられているので、切り欠きが注ぎ口辺を切り取りとる際のきっかけとなって容易に注ぎ口辺を切り取ることができる。
【００１３】
また、請求項５の発明は、請求項１、２、３又は４の発明において、前記包装袋を形成する本体フィルムの注ぎ口辺近傍には浮き上げ模様加工域が形成されていることを特徴とする、詰め替え用包装袋である。
【００１４】
このように請求項５記載の発明によれば、包装袋を形成する本体フィルムの注ぎ口辺近傍には浮き上げ模様加工域が形成されているので、左手で詰め替え容器の左上端近傍を持ち、また、右手で詰め替え容器の右上端近傍を持ち、左右の親指を切り込み辺の下側近傍に置いて、親指を詰め替え容器の中央方向に押すようにしながら内容物を絞り出すと、さらに注ぎ口が閉塞しづらくなり、より注ぎ易くなる。
【００１５】
また、請求項６の発明は、請求項１、２、３、４又は５の発明において、前記包装袋の形態が自立袋であることを特徴とする、詰め替え用包装袋である。
【００１６】
このように請求項６記載の発明によれば、包装袋の形態が自立袋であるので、包装袋は自立することができ、使い勝手が拡がる。
【発明の効果】
【００１７】
このように本発明の詰め替え用包装袋は、注ぎ口の両側を両手でしっかり持って内容物を絞り出すことができるので、絞り出しにくい高粘度のシャンプー等の内容物でも容易に注ぎ出すことができる。また、注ぎ口にプラスチック製品などを取り付けることなく、内容物を注ぎ易くすることが可能であり、環境面、コスト面でメリットがある。
【発明を実施するための最良の形態】
【００１８】
本発明を一実施形態に基づいて以下に詳細に説明する。
本発明の詰め替え用包装袋は、例えば、図１に示すように、互いにシーラント層を有する表裏二枚の方形の本体フィルム（１１，１２）をシーラント層を内側にして対向させ、左右辺を側部シール（１３）し、下辺を底部シール（１４）してなる包装袋（１０）である。
【００１９】
そして、一方の側部シール（１３）は、中央近傍は注ぎ口辺（１３ａ）として形成され、注ぎ口辺の左右端はＶ字状にえぐり取られて切り込み辺（１３ｂ，１３ｂ）として形成され、さらにその外側は側部辺（１３ｃ，１３ｃ）として形成され、注ぎ口辺（１３ａ）と二つの切り込み辺（１３ｂ，１３ｂ）と二つの側部辺（１３ｃ，１３ｃ）とはそれぞれ互いに連続して側部シール（１３）を形成していることを特徴とするものである。
【００２０】
一方の切り込み辺（１３ｂ）の注ぎ口辺（１３ａ）寄り近傍に切り欠き（１５）を設けておくことにより、注ぎ口辺（１３ａ）を切り取り、注ぎ口（１６）を露出させる際のき
っかけにすることができる。切り欠き（１５）の形状は、Ｉ字状、Ｕ字状、Ｖ字状等任意である。
【００２１】
また、包装袋を形成する本体フィルムの注ぎ口辺近傍に浮き上げ加工域（１７）を形成させておくことにより、左手で詰め替え容器の左上端近傍を持ち、また、右手で詰め替え容器の右上端近傍を持ち、左右の親指を切り込み辺の下側近傍に置いて、親指を詰め替え容器の中央方向に押すようにしながら内容物を絞り出した時、さらに注ぎ口（１６）が閉塞しづらくなり、より注ぎ易くなる。
浮き上げ加工は、一般的に使用されている雄型と雌型によるエンボス加工などの手法を用いて容易に行うことができる。
【００２２】
包装袋に使用する本体フィルム（１１、１２）としては、例えば、二軸延伸ナイロン（ＯＮｙ）フィルム／線状低密度ポリエチレン（Ｌ−ＬＤＰＥ）フィルム、ＯＮｙフィルム／アルミニウム箔（Ａｌ）／Ｌ−ＬＤＰＥフィルム、ポリエチレンテレフタレート（ＰＥＴ）フィルム／Ａｌ／Ｌ−ＬＤＰＥフィルム、ＰＥＴフィルム／Ａｌ／ＯＮｙフィルム／Ｌ−ＬＤＰＥフィルム等の一般的に公知の複合フィルムが使用できるが、ヒートシール適性、耐内容物性、開封性等を総合的に苦慮して決定すれば良い。
【００２３】
包装袋の形状は、一般的な三方シール袋のほかに、図示してあるような表裏二枚の本体フィルム（１１、１２）の下部に二つ折りされた底テープ（１８）を挿入して下部端縁を、例えば、船底形状に底部シール（１４）する自立袋としても良い。底テープ（１８）に使用する材料は、本体フィルムと同様の複合フィルムが使用できる。
【００２４】
次に包装袋の使用方法について説明する。包装袋の開口部より、例えば、シャンプーなどの比較的高粘度の内容物（図示せず）を充填して開口部が天部シール（１９）された包装体を、例えば、注ぎ口辺（１３ａ）を有する側部シール（１３）側を上方にし、包装袋を横置きするようにして立てる。
【００２５】
側部シール（１３）の注ぎ口辺（１３ａ）の上端縁を、切り欠き（１５）をきっかけにして引き裂いて注ぎ口（１６）とし、注ぎ口（１６）をプラスチック製容器などの詰め替え容器の開口部に挿入した後、左手で本発明の詰め替え容器の左上端近傍を持ち（ａ）、また、右手で詰め替え容器の右上端近傍を持ち（ｂ）、左右の親指（ｃ，ｄ）を切り込み辺の下側近傍に置いて、親指を詰め替え容器の中央方向（図２中の矢印方向）に押すようにしながら内容物を絞り出すと、注ぎ口（１６）が閉塞しづらくなり、内容物（図示せず）は注ぎ口（１６）からプラスチック製容器に注入される（図２参照）。
【図面の簡単な説明】
【００２６】
【図１】本発明の詰め替え用包装袋の一実施例を示す、平面説明図である。
【図２】本発明の詰め替え用包装袋の使用状態での一実施例を示す、平面説明図である。
【符号の説明】
【００２７】
１０‥‥包装袋
１１‥‥本体フィルム
１２‥‥本体フィルム
１３‥‥側部シール
１３ａ‥注ぎ口辺
１３ｂ‥切り込み辺
１３ｃ‥側部辺
１４‥‥底部シール
１５‥‥切り欠き
１６‥‥注ぎ口
１７‥‥浮き上げ模様加工部
１８‥‥底テープ
１９‥‥天部シール
ａ‥‥左手の位置
ｂ‥‥右手の位置
ｃ‥‥左手の親指の位置
ｄ‥‥右手の親指の位置
【図１】
2005298007.tif 000003
【図２】
2005298007.tif 000004